(57)【要約】【課題】静電気放電に起因する不具合を生じさせにくい電気掃除機を提供する。【解決手段】電気掃除機１は、本体２と、風路体３と、放電経路29と、経路形成手段30と、を備える。風路体３は、本体２に接続され、塵埃を吸い込む吸込風路６が形成される。放電経路29は、風路体３に設けられて、床面Ｆに放電可能である。経路形成手段30は、放電経路29に設けられて、放電経路29の帯電電圧が所定の閾値電圧以上の状態となったときに放電経路29から床面Ｆへの放電を可能とする。【選択図】図１
2020188896.tif 000002
【特許請求の範囲】
【請求項１】
本体と、
前記本体に接続され、塵埃を吸い込む吸込風路が形成される風路体と、
前記風路体に設けられて、被掃除面に放電可能な放電経路と、
前記放電経路に設けられて、前記放電経路の帯電電圧が所定の閾値電圧以上の状態となったときに前記放電経路から前記被掃除面への放電を可能とする経路形成手段と、
を備えることを特徴とする電気掃除機。
【請求項２】
前記放電経路は、
前記被掃除面に放電可能な第一導電手段と、
前記吸込風路に生じる静電気の少なくとも一部が集まる第二導電手段と、を備え、
前記経路形成手段は、前記第二導電手段と前記第一導電手段との電位差が前記閾値電圧以上であるときの前記第二導電手段から前記第一導電手段への導電を可能とする
ことを特徴とする請求項１記載の電気掃除機。
【請求項３】
前記経路形成手段は、放電ギャップである
ことを特徴とする請求項２記載の電気掃除機。
【請求項４】
前記第一導電手段と前記第二導電手段とは、互いの端部が前記経路形成手段を介して対向配置され、
前記第二導電手段の端部は、前記第一導電手段の端部よりも静電気が集まりやすい形状に形成されている
ことを特徴とする請求項３記載の電気掃除機。
【請求項５】
前記経路形成手段は、前記第二導電手段から前記第一導電手段への整流作用を有する整流素子である
ことを特徴とする請求項２記載の電気掃除機。
【請求項６】
前記第二導電手段の少なくとも一部は、前記吸込風路と、前記風路体に配置された基板と前記本体に配置された基板とを接続する配線と、の間に沿って配置される
ことを特徴とする請求項２ないし５いずれか一記載の電気掃除機。
【請求項７】
前記第二導電手段の前記経路形成手段側の端部とは異なる側の端部は、前記本体に配置された基板近傍まで配置される
ことを特徴とする請求項２ないし６いずれか一記載の電気掃除機。
【請求項８】
基板を有する吸込口体を備え、
前記経路形成手段は、前記基板に配置されている
ことを特徴とする請求項２ないし７いずれか一記載の電気掃除機。
【発明の詳細な説明】
【技術分野】
【０００１】
本発明の実施形態は、塵埃を吸い込む吸込風路を備える電気掃除機に関する。
【背景技術】
【０００２】
電気掃除機において、延長管の導電部材と電気的に接続される放電部を吸込口体に備え、放電部から床面へと放電することで静電気放電(ＥＳＤ)を生じにくくしたものが知られている。しかしながら、この構成の場合、放電部から延長管の導電部材までが連なった導電体となっているため、放電部からの逆流が問題になる場合、つまり、掃除中に放電部が帯電体に触れた場合等に、放電部側から延長管の導電部材を介して使用者側へと電荷が流れて不快感を生じさせるおそれがあった。
【先行技術文献】
【特許文献】
【０００３】
【特許文献１】特開平１０−３３４３７号公報
【発明の概要】
【発明が解決しようとする課題】
【０００４】
本発明が解決しようとする課題は、静電気放電に起因する不具合を生じさせにくい電気掃除機を提供することである。
【課題を解決するための手段】
【０００５】
実施形態の電気掃除機は、本体と、風路体と、放電経路と、経路形成手段と、を備える。風路体は、本体に接続され、塵埃を吸い込む吸込風路が形成される。放電経路は、風路体に設けられて、被掃除面に放電可能である。経路形成手段は、放電経路に設けられて、放電経路の帯電電圧が所定の閾値電圧以上の状態となったときに放電経路から被掃除面への放電を可能とする。
【図面の簡単な説明】
【０００６】
【図１】第１の実施形態の電気掃除機の一部を模式的に示す説明側面図である。
【図２】第１の実施形態の電気掃除機の内部構造を示す説明図である。
【図３】第１の実施形態の電気掃除機を示す斜視図である。
【図４】第１の実施形態の第二導電手段の一例の一部を示す斜視図である。
【図５】(a)は第１の実施形態の経路形成手段を挟む第一導電手段の端部と第二導電手段の端部との形状の一例を示す平面図、(b)は第１の実施形態の経路形成手段を挟む第一導電手段の端部と第二導電手段の端部との形状の他の例を示す平面図である。
【図６】第２の実施形態の電気掃除機の一部を模式的に示す説明側面図である。
【発明を実施するための形態】
【０００７】
(第１の実施形態)
以下、第１の実施形態について、図面を参照して説明する。
【０００８】
図２及び図３において、１は電気掃除機を示す。電気掃除機１は、本体２と、本体２に機械的及び流体的に接続される風路体３と、を備える。また、電気掃除機１は、電動送風機４と、集塵部５と、を備えている。電気掃除機１は、電動送風機４の駆動により風路体３を介して集塵部５に塵埃を吸い込んで集積する吸引掃除機である。集塵部５は、集塵袋や遠心分離部等、既知の任意の構成としてよい。電動送風機４は、本体２に配置されている。また、図示される例では、集塵部５は、本体２に配置されている。風路体３には、集塵部５を介して電動送風機４の吸込側と連通する吸込風路６が形成される。
【０００９】
本実施形態において、電気掃除機１は、本体２が被掃除面である床面を走行する床走行型又はキャニスタ型の電気掃除機である。図示される例において、風路体３は、ホース７と、直管部である延長管８と、吸込口体９と、を備える。また、本実施形態において、電気掃除機１は、二次電池10を電源部とするコードレス掃除機である。二次電池10は、本体２に配置されている。
【００１０】
ホース７は、合成樹脂により形成され、可撓性を有する。ホース７は、長尺に形成される筒体である。ホース７は、一端部である下流側の端部が本体２に接続される。ホース７の他端部である上流側の端部には、手元操作部11が配置されている。手元操作部11は、掃除操作時に使用者により把持される部分である。手元操作部11には、使用者が電動送風機４等の動作を設定するスイッチ等の設定手段12が配置されている。設定手段12は、手元操作部11に配置された手元回路部13に含まれる。手元回路部13は、風路体３に配置された風路体基板である。また、手元操作部11には、長尺に形成された延長管８の一端部である下流側の端部が接続される。延長管８は、合成樹脂により形成され、剛性を有する。延長管８は、長尺に形成される筒体である。延長管８の他端部である上流側の端部には、吸込口体９が接続される。
【００１１】
吸込口体９には、電動部15が配置されている。本実施形態において、電動部15は、吸込口体９に回転可能に配置された回転清掃体16を回転させるモータである。電動部15は、吸込口体９に配置された駆動制御手段17により動作が制御される。駆動制御手段17は、使用者による設定手段12の操作に応じて、電動部15の起動及び停止等を設定する。駆動制御手段17は、吸込口体９に備えられる基板である。駆動制御手段17には、複数の電子部品等が実装されている。
【００１２】
本体２には、使用者の設定に応じて電動送風機４等の動作を制御する制御手段18が配置されている。制御手段18は、使用者による設定手段12の操作に応じて、電動送風機４の起動及び停止や、電動送風機４の吸引力等を設定する。制御手段18は、本体２に備えられる本体側基板である。制御手段18には、複数の電子部品等が実装されている。制御手段18と手元回路部13とは、第一配線20により接続されている。また、二次電池10と手元回路部13とは、第二配線21により接続されている。第一配線20及び第二配線21は、風路体３の内部に配置されている。本実施形態において、第一配線20及び第二配線21は、ホース７の内部に配置されている。また、手元回路部13と駆動制御手段17とは、第三配線22及び第四配線23により接続されている。第三配線22及び第四配線23は、風路体３の内部に配置されている。本実施形態において、第三配線22及び第四配線23は、延長管８の内部に配置されている。風路体３、ホース７又は延長管８の内部とは、風路体３、ホース７又は延長管８により形成される吸込風路６の外側で、風路体３、ホース７又は延長管８を形成する外殻部分に覆われる部分をいう。なお、第一配線20ないし第四配線23は、図面において、説明を明確にするために１本のみ図示するものとするが、それぞれ複数本あってもよい。また、第一配線20ないし第四配線23は、それぞれ連なった配線として図示しているが、接続点や中継点を途中に有していてもよい。
【００１３】
また、図１に示すように、電気掃除機１には、放電手段25が配置されている。放電手段25は、吸込風路６に生じる静電気による帯電電圧が所定の閾値電圧以上になると床面Ｆに放電するものである。
【００１４】
放電手段25は、第一導電手段27を備えている。第一導電手段27は、床面Ｆに対し放電可能である。第一導電手段27は、導電性の金属、あるいは導電性の合成樹脂等により形成された導体である。第一導電手段27は、掃除時に床面Ｆと接触可能な位置に配置されている。このため、第一導電手段27は、掃除時に床面Ｆと接触した状態で、床面Ｆの電位(アース電位)と等しい電位又は略等しい電位に設定される。本実施形態において、第一導電手段27は、吸込口体９に配置されている。好ましくは、第一導電手段27は、吸込口体９の床面Ｆに対向する下部に少なくとも一部が露出して配置されている。図示される例では、第一導電手段27の放電端部である一端部27aが、吸込口体９の下部に露出して配置されている。一端部27aは、好ましくは面状に形成されている。
【００１５】
また、放電手段25は、第二導電手段28を備えている。第二導電手段28は、少なくとも吸込風路６に生じる静電気が集まる。本実施形態の第二導電手段28は、少なくとも、吸込口体９と床面Ｆとの摩擦、及び吸込風路６から集塵部５に亘り吸い込まれる塵埃と風路体３等との摩擦により生じる静電気が集まる。第二導電手段28は、導電性の金属、あるいは導電性の合成樹脂等により形成された導体である。第二導電手段28は、電気掃除機１の本体２や風路体３の外殻に露出することなく配置されている。本実施形態において、第二導電手段28は、少なくとも一部が風路体３に設けられている。好ましくは、第二導電手段28は、風路体３に沿って長尺に形成されている。また、第二導電手段28は、少なくとも一部が本体２に配置された制御手段18の近傍、かつ、制御手段18から離れて位置していることが好ましい。また、第二導電手段28は、少なくとも一部が吸込風路６と本体２側に接続される配線との間に配置されていることが好ましい。この場合、第二導電手段28は、吸込風路６との間のインピーダンスが、配線との間のインピーダンスより小さくなるように設置されることが好ましい。
【００１６】
本実施形態において、第二導電手段28の一端部28aは、第一導電手段27の受電端部である他端部27bに放電可能な放電端部である。第二導電手段28は、他端部28bが本体２に配置された制御手段18の近傍に延びている。また、第二導電手段28は、一端部28aと他端部28bとの間の中間部28cが吸込風路６と本体２側に接続される配線との間に配置されている。本体２側に接続される配線は、延長管８及び吸込口体９においては第三配線22及び／又は第四配線23であり、ホース７及び本体２においては第一配線20及び／又は第二配線21である。すなわち、第二導電手段28の中間部28cは、少なくとも第三配線22及び／又は第四配線23と吸込風路６との間に位置している。図示される例では、第二導電手段28の中間部28cは、第三配線22及び／又は第四配線23と吸込風路６との間、及び、第一配線20及び／又は第二配線21と吸込風路６との間に亘り位置している。
【００１７】
第二導電手段28は、１本の配線により構成されていてもよいし、吸込風路６の周囲に配置された複数本の配線が一端部28a側で電気的に接続されて構成されていてもよい。また、第二導電手段28は、図４に一部を示すように、吸込風路６の少なくとも一部を囲む円筒状に形成されていてもよい。第二導電手段28は、図１において、説明をより明確にするために、１本の線として図示するものとする。また、図１及び図２において、第一導電手段27や第二導電手段28の配置は模式的に示しており、第一導電手段27や第二導電手段28の配置をこれら図１及び図２に示す配置に限定することを意図していない。
【００１８】
第一導電手段27と第二導電手段28とにより、床面Ｆに放電する放電経路29が構成されている。つまり、放電経路29は、少なくとも一部が風路体３に配置されている。放電経路29の低電位側が第一導電手段27であり、高電位側が第二導電手段28である。
【００１９】
また、放電手段25は、経路形成手段30を備えている。経路形成手段30は、少なくとも吸込風路６に生じる静電気による放電経路29の帯電電圧が所定の閾値電圧以上の状態では放電経路29に電流を流すものである。また、経路形成手段30は、放電経路29の帯電電圧が所定の閾値電圧未満の状態では放電経路29を遮断し、電流が流れなくするものである。経路形成手段30は、第一導電手段27と第二導電手段28との間に介在され、第二導電手段28と第一導電手段27との電位差が所定の閾値電圧以上であるときの第二導電手段28から第一導電手段27への放電を可能とする。経路形成手段30の一方に第一導電手段27の他端部27bが位置し、経路形成手段30の他方に第二導電手段28の一端部28aが位置する。本実施形態において、経路形成手段30は、放電ギャップである。つまり、本実施形態の経路形成手段30は、空気の絶縁抵抗を用いるものである。第一導電手段27の他端部27bと、第二導電手段28の一端部28aとが、互いに離れて対向するように配置され、それら第一導電手段27の他端部27bと第二導電手段28の一端部28aとの間の空間部が、経路形成手段30となっている。本実施形態の経路形成手段30は、そのギャップの長さに応じて、第二導電手段28から第一導電手段27へと放電する際の閾値電圧を設定することが可能である。すなわち、第一導電手段27の他端部27bと、第二導電手段28の一端部28aとの間の距離を長くする程、第二導電手段28から第一導電手段27へと放電する際の閾値電圧を大きくすることが可能である。
【００２０】
経路形成手段30は、任意の箇所に配置してよいが、本実施形態においては、吸込口体９の駆動制御手段17に配置されている。本実施形態において、駆動制御手段17の位置に、第一導電手段27の他端部27bと第二導電手段28の一端部28aとが互いに離れて対向配置されている。
【００２１】
なお、第二導電手段28から第一導電手段27への放電を許容し、第一導電手段27から第二導電手段28への放電を抑制又は阻止する構成として、第二導電手段28の一端部28aは電界を集中させやすい形状、つまり静電気が集まりやすい形状とし、第一導電手段27の他端部27bは電界が緩和される形状、つまり静電気が集まりにくい形状とすることが好ましい。例えば、図５(a)に示すように、第二導電手段28の一端部28aを先端に向かって徐々に細くなるように尖らせ、第一導電手段27の他端部27bを第二導電手段28の一端部28aよりも太くしてもよい。この場合、第一導電手段27の他端部27bは、角部が生じない形状とすることが好ましい。また、図５(b)に示すように、第一導電手段27の他端部27bを、円形や球形に形成してもよい。
【００２２】
次に、第１の実施形態の動作を説明する。
【００２３】
掃除の際、使用者が手元操作部11の設定手段12を操作すると、手元回路部13からその操作に応じた信号が第一配線20を通じて制御手段18に送信され、その信号に応じて制御手段18が二次電池10から電動送風機４への通電量を制御し、電動送風機４の動作のオンオフや、吸引力又は駆動力を設定する。電動送風機４を動作させた状態で、使用者は手元操作部11を把持して風路体３を介して本体２を引っ張って床面Ｆ上で所望の位置に移動させ、吸込口体９等から塵埃を空気とともに吸込風路６に吸い込み、集塵部５に塵埃を集積する。また、床面Ｆの種類等に応じて回転清掃体16を動作させたい場合に、使用者が手元操作部11の設定手段12を操作すると、その操作に応じた信号が手元回路部13から第三配線22を通じて駆動制御手段17に送信され、その信号に応じて駆動制御手段17が二次電池10から電動部15への通電量を制御し、電動部15の動作のオンオフを設定する。電動部15が動作することで回転清掃体16が回転され、回転清掃体16が床面Ｆから塵埃を掻き取る。
【００２４】
塵埃を吸い込む際、使用者が吸込口体９を床面Ｆ上で前後に移動させることで、吸込口体９と床面Ｆとの摩擦により静電気が生じる。また、吸込風路６に吸い込まれた塵埃が吸込風路６を集塵部５へと移動する間に、風路体３の吸込口体９、延長管８、あるいはホース７と塵埃との摩擦により静電気が生じる。さらに、集塵部５が遠心分離等により塵埃を分離するものである場合、集塵部５の構造物と塵埃との摩擦により静電気が生じる。
【００２５】
これらの静電気は、第二導電手段28に集まり、経路形成手段30の閾値電圧を超えると、第二導電手段28の一端部28aから第一導電手段27の他端部27bへと放電され、床面Ｆに接地する第一導電手段27の一端部27aから床面Ｆに放電される。つまり、放電経路29に電流が流れて床面Ｆに放電される。
【００２６】
一方、第一導電手段27と第二導電手段28とは、経路形成手段30により隔てられているため、使用者が仮に掃除中に第一導電手段27の一端部27aを誤って帯電体に触れさせた場合等でも、第一導電手段27から第二導電手段28へと放電経路29に電荷が流れにくく、使用者に不快感を生じさせにくい。
【００２７】
このように、吸込風路６に生じる静電気による帯電電圧が所定の閾値電圧以上になると、経路形成手段30が放電経路29に電流を流して床面Ｆに放電可能となるため、静電気により溜まった電荷によって所定の閾値電圧以上の電圧が生じにくく、使用者や制御手段18の電子部品等への静電気放電(ＥＳＤ)を抑制できる。また、放電経路29は、帯電電圧が所定の閾値電圧以上となっていないときには経路形成手段30により遮断されているので、掃除の際等に放電経路29が帯電体に接触した場合でも、放電経路29を介して使用者への逆流が生じにくく、使用者に不快感を生じさせにくい。すなわち、本実施形態の電気掃除機１は、静電気放電に起因する不具合を生じさせにくい。
【００２８】
特に、電気掃除機１が、二次電池10を電源部として用いるコードレス掃除機の場合、電源ケーブルが接続されていないので、静電気が帯電しやすい構造であるといえる。そのため、放電経路29及び経路形成手段30によって、帯電体からの逆流を抑制しながら、溜まった静電気を効果的に床面Ｆ等のアースに逃がして、コードレス掃除機であっても、静電気放電に起因する各種の不具合を生じさせにくくすることができる。
【００２９】
吸込風路６に生じる静電気が集まる第二導電手段28と床面Ｆに対し放電可能な第一導電手段27との電位差が閾値電圧以上であるときに、経路形成手段30により、第二導電手段28から第一導電手段27への放電を可能とすることで、通常時には第一導電手段27に対して第二導電手段28の電位が高くなりやすいため、第一導電手段27が帯電体に接触した場合でも、第一導電手段27が第二導電手段28よりも高電位となりにくく、第一導電手段27から第二導電手段28へ逆流しにくい。また、第二導電手段28に集まった電荷によって第二導電手段28の電位が閾値電圧以上となると、床面Ｆに接触した第一導電手段27に対し、経路形成手段30を介して第二導電手段28から第一導電手段27へと放電するため、第二導電手段28は閾値電圧以上となりにくく、第二導電手段28から電子部品や使用者等に逆流しにくい。
【００３０】
経路形成手段30を放電ギャップとすることで、素子等を追加することなく、単に第一導電手段27の他端部27bと第二導電手段28の一端部28aとの間を離すだけで簡素かつ安価に経路形成手段30を構成できる。また、第一導電手段27の他端部27bと第二導電手段28の一端部28aとの間の距離、つまり経路形成手段30の長さを調整するだけで、閾値電圧を容易に設定できる。また、静電気放電を抑制するために帯電防止材を用いたり、使用者を介した除電経路を確保したり、あるいは制御手段18の基板パターンや部品の変更等をしたりする必要がなく、設置が容易である。
【００３１】
また、経路形成手段30を挟んで対向配置される第一導電手段27の他端部27bと、第二導電手段28の一端部28aと、のうち、第二導電手段28の一端部28aの形状を、第一導電手段27の他端部27bよりも静電気が集まりやすい形状とすることで、第二導電手段28から第一導電手段27への放電よりも、第一導電手段27から第二導電手段28への放電をしにくくし、第一導電手段27から第二導電手段28への逆流をより確実に抑制できるとともに、第二導電手段28から第一導電手段27への放電をより容易とすることができる。
【００３２】
第二導電手段28の少なくとも一部を、吸込風路６と、風路体３に配置された基板である駆動制御手段17と本体２に配置された基板である制御手段18とを接続する配線と、の間に沿って配置することで、静電気の発生源となる吸込風路６に対し、第二導電手段28の少なくとも一部を配線よりも近づけて配置でき、静電気を本体２側に接続される配線に集まりにくくし、第二導電手段28に集まりやすくすることができる。このため、本体２側に接続される配線から本体２側の構造物、例えば制御手段18に配置される電子部品等への静電気放電を抑制できる。
【００３３】
第二導電手段28の経路形成手段30側の一端部28aと異なる側の他端部28bを、本体２に配置された制御手段18近傍まで配置することで、制御手段18の近傍で発生する静電気を第二導電手段28に集まらせ、制御手段18に配置される電子部品等への静電気放電を抑制できる。
【００３４】
第二導電手段28の少なくとも一部を風路体３に配置することで、風路体３の内部に形成される吸込風路６に生じる静電気を第二導電手段28によって効果的に集めることができる。
【００３５】
吸込口体９に配置された駆動制御手段17を利用し、この駆動制御手段17に経路形成手段30を配置することで、経路形成手段30を設けるための別途の構成を追加する必要がなく、簡素に構成できるとともに、電気掃除機１、特に吸込口体９の大型化を防止できる。
【００３６】
(第２の実施形態)
次に、第２の実施形態について図６を参照して説明する。なお、第１の実施形態と同様の構成及び作用については、同一符号を付してその説明を省略する。
【００３７】
本実施形態は、経路形成手段としての整流素子31を備えている。整流素子31は、少なくとも吸込風路６に生じる静電気による放電経路29の帯電電圧が所定の閾値電圧以上の状態では導通して放電経路29に電流を流すものである。また、整流素子31は、放電経路29の帯電電圧が所定の閾値電圧未満の状態では放電経路29の電流の逆流を阻止し、電流を流れなくするものである。
【００３８】
整流素子31に対し、第一導電手段27の他端部27bと第二導電手段28の一端部28aとが電気的に接続されている。整流素子31は、第二導電手段28から第一導電手段27への整流作用を有する。第二導電手段28から第一導電手段27への電流方向を順方向、第一導電手段27から第二導電手段28への電流方向を逆方向とした場合、逆方向よりも順方向に電流が流れるようにするための閾値電圧が低く設定されている。つまり、整流素子31は、順方向の電流を許容し、逆方向の電流を阻止又は抑制する。整流素子31としては、ダイオードが好適に用いられる。この場合、第一導電手段27の他端部27bがダイオードのカソードに接続され、第二導電手段28の一端部28aがダイオードのアノードに接続される。整流素子31は、ダイオードの特性を選択することで、第二導電手段28から第一導電手段27へと放電する際の閾値電圧、及び第一導電手段27から第二導電手段28への放電のしにくさ(降伏電圧)を設定可能である。
【００３９】
そして、掃除時に発生する静電気は、第二導電手段28に集まり、整流素子31の閾値電圧を超えると整流素子31が導通することで、第二導電手段28に集まった電荷が第一導電手段27へと流れ、第一導電手段27から床面Ｆ等のアースに放電される。
【００４０】
一方、第一導電手段27と第二導電手段28とは、整流素子31の逆阻止特性により、使用者が仮に掃除中に第一導電手段27の一端部27aを誤って帯電体に触れさせた場合等でも、第一導電手段27から第二導電手段28へと電荷が流れにくく、使用者に不快感を生じさせにくい。
【００４１】
このように、経路形成手段を、第二導電手段28から第一導電手段27への整流作用を有する整流素子31とすることで、少なくとも吸込風路６に生じる静電気による帯電電圧が所定の閾値電圧以上になると放電経路29に電流を流して床面Ｆに放電可能としつつ、放電経路29において、第二導電手段28から第一導電手段27へ放電しやすく、第一導電手段27から第二導電手段28へと放電しにくい構成とすることができる。
【００４２】
整流素子31は、駆動制御手段17等に容易に実装でき、配置が容易である。
【００４３】
なお、各実施形態において、経路形成手段としては、例えば第二導電手段28と第一導電手段27との電位差が所定の閾値電圧以上となると電流が流れ出すバリスタ等の、非直線性の抵抗素子を用いてもよい。
【００４４】
また、電気掃除機１は、床走行型に限られず、スティック型やアップライト型等の、被掃除面に対し吸込口体を接地させるものに適用可能である。
【００４５】
本発明のいくつかの実施形態を説明したが、これらの実施形態は、例として提示したものであり、発明の範囲をこれらの実施形態に限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１    電気掃除機
２    本体
３    風路体
６    吸込風路
９    吸込口体
17    基板である駆動制御手段
18    基板である制御手段
27    第一導電手段
28    第二導電手段
29    放電経路
30    経路形成手段
31    経路形成手段としての整流素子
Ｆ    被掃除面である床面
【図１】
2020188896.tif 000003
【図２】
2020188896.tif 000004
【図３】
2020188896.tif 000005
【図４】
2020188896.tif 000006
【図５】
2020188896.tif 000007
【図６】
2020188896.tif 000008